(57)【要約】【課題】  ＰＤＨ装置／ＳＤＨ装置それぞれに対する故障判定を行うほかに、ＰＤＨ／ＳＤＨを含めて通信網内における真の故障設備を求めること。【解決手段】  ＰＤＨ通信網とＳＤＨ通信網を含む通信網１内における通信障害の発生時に発出される警報に基づいて、ＰＤＨ設備及びＳＤＨ設備の少なくとも一つの設備故障判定を行う設備故障判定システムである。前記ＳＤＨ設備に関する警報メッセージに基づいて故障設備を特定するＳＤＨ設備故障判定装置２と、前記ＰＤＨ設備に関する警報に基づいて故障設備を特定するＰＤＨ設備故障判定装置３と、前記ＰＤＨ故障判定結果及び前記ＳＤＨ故障判定結果と前記ＰＤＨ設備及び前記ＳＤＨ設備間の接続関係情報に従って前記通信網内における真の故障設備を特定する突合せ判定装置４を有する。【選択図】    図１
2006270848.tif 000002
【特許請求の範囲】
【請求項１】
プリシオナスディジタルハイアラーキ（ＰＤＨ）通信網とシンクロナスディジタルハイアラーキ（ＳＤＨ）通信網を含む通信網内における通信障害の発生時に発出される警報に基づいて、ＰＤＨ設備及びＳＤＨ設備の少なくとも一つの設備故障判定を行う設備故障判定システムであって、
前記ＳＤＨ設備に関する故障情報である警報メッセージ情報に基づいて故障設備を特定する故障判定機能を有するＳＤＨ設備故障判定装置と、
前記ＰＤＨ設備に関する警報である接点情報に基づいて故障設備を特定する故障判定機能を有するＰＤＨ設備故障判定装置と、
前記ＰＤＨ故障判定結果及び前記ＳＤＨ故障判定結果と前記ＰＤＨ設備及び前記ＳＤＨ設備間の接続関係情報に従って前記通信網内における真の故障設備を特定するための突き合わせ判定を行う突合せ判定装置を
有することを特徴とする設備故障判定システム。
【請求項２】
ＳＤＨ設備故障判定及び突合せ判定に利用する定義情報を記憶する記憶装置とを含むことを特徴とする請求項１記載の設備故障判定システム。
【請求項３】
ＰＤＨ設備故障判定装置による故障判定処理と、ＳＤＨ設備故障判定装置による故障判定処理は、前記それぞれの判定処理が終了するまで互いに待ち合わせを行うことを特徴とする請求項２記載の設備故障判定システム。
【請求項４】
前記記憶装置は、
ＳＤＨ装置から出力される警報メッセージ情報に含まれる部位情報から、通信網１におけるパスに対応するパス状態警報を生成するための、装置部位とパスの対応関係情報を記憶する部位／パス対応関係記憶部と、
前記通信網におけるパスの階層関係情報を記憶するパス階層関係記憶部
を有することを特徴とする請求項２記載の設備故障判定システム。
【請求項５】
前記ＳＤＨ設備故障判定装置は、
前記通信網１からの前記警報メッセージ情報に対し、前記部位／パス対応関係記憶部に記憶されている警報情報とパス対応関係情報を検索し、前記警報メッセージ情報を前記通信網内におけるパスに対応したパス状態警報情報に変換する警報メッセージ変換処理部と、
前記パス状態警報情報を、前記パス階層関係記憶部に記憶されたパス階層関係情報に基づいてパスの階層順にパスの停止判定を行い、パス階層における最上位のパスを主原因パスとする判定処理を行う主原因パス停止判定処理部
を有することを特徴とする請求項４記載の設備故障判定システム。
【請求項６】
前記パス階層関係記憶部は、前記通信網内の設備故障にて複数通知される警報について前記警報メッセージ変換処理部にて生成されたパス情報に対して、記憶されているパスの階層関係を探索し、パス階層上で最上位のパスを特定することを特徴とする請求項５記載の設備故障判定システム。
【請求項７】
前記記憶装置は、設備故障時に発生する警報および他の故障警報により影響を受けて発生する警報の関係に従って、あらかじめ各警報に対して重み付けを行い、警報種類毎に警報レベルを記憶する警報レベル記憶部を有することを特徴とする請求項６記載の設備故障判定システム。
【請求項８】
前記ＳＤＨ設備故障判定装置は、さらに前記主原因パス停止判定処理部により求めた主原因パスの両端装置で発生している警報のうち前記警報レベル記憶部に記憶されている警報のレベルに従い、より上位レベルの警報が発生している設備を故障の主原因設備とする判定を行う主原因設備故障判定処理部を有することを特徴とする請求項７記載の設備故障判定システム。
【請求項９】
前記記憶装置は、ＰＤＨ装置とＳＤＨ装置の接続関係情報と前記警報の種類毎に、故障時に発生する警報および他の故障警報により影響を受けて発生する警報の関係に従って、ＰＤＨ装置故障が他方のＳＤＨ装置故障の原因となるか、ＳＤＨ装置故障が他方のＰＤＨ装置故障の原因となるか否かの判定に利用する定義情報を記憶し、他故障が自故障の原因となる可能性検査の必要があるか否かの判定結果を待ち合わせる必要があるか否かの条件設定情報を記憶する待ち合わせ条件記憶部を有することを特徴とする請求項８記載の設備故障判定システム。
【請求項１０】
前記記憶装置は、ＰＤＨ装置とＳＤＨ装置それぞれの故障情報の突合せを行った際にどちらの故障情報を真の主原因設備とするかの条件を記憶する突合せ判定条件記憶部を有することを特徴とする請求項９記載の設備故障判定システム。
【請求項１１】
前記突合せ判定装置は、
ＳＤＨ設備故障判定装置およびＰＤＨ設備故障判定装置から判定結果を受け、それぞれの判定結果情報に基づいて前記待ち合わせ条件記憶部に記憶されている待ち合わせ条件を検索し、待ち合わせが必要と判断された場合に、待ち合わせ相手の故障判定結果の通知を一定時間待ち合わせる処理を行う待ち合わせ処理部と、
前記待ち合わせ処理部にて待ち合わせを行ったＰＤＨ設備故障判定装置による故障判定結果およびＳＤＨ設備故障判定装置による故障判定結果に基づき、前記突合せ判定条件記憶部に記憶されている条件に従い、いずれが真の主原因故障情報であるか突合せ判定を行い、前記通信網内における真の主原因設備を決定する突合せ判定処理部
を有することを特徴とする請求項１０記載の設備故障判定システム。
【請求項１２】
判定結果としての主原因設備故障情報等を出力する出力装置を有することを特徴とする請求項１１記載の設備故障判定システム。
【請求項１３】
プリシオナスディジタルハイアラーキ（ＰＤＨ）通信網とシンクロナスディジタルハイアラーキ（ＳＤＨ）通信網を含む通信網内における通信障害の発生時に発出される警報に基づいて、ＰＤＨ設備及びＳＤＨ設備の少なくとも一つの設備故障判定を行う設備故障判定方法であって、
前記ＳＤＨ設備に関する故障情報である警報メッセージに基づいて故障設備を特定するステップと、
前記ＰＤＨ設備に関する警報である接点情報に基づいて故障設備を特定するステップと、
前記ＰＤＨ故障判定結果及び前記ＳＤＨ故障判定結果と前記ＰＤＨ設備及び前記ＳＤＨ設備間の接続関係情報に従って前記通信網内における真の故障設備を特定するための突き合わせ判定を行うステップ
有することを特徴とする設備故障判定方法。
【請求項１４】
前記ＳＤＨ設備故障判定及び前記突合せ判定に利用する定義情報を記憶するステップを含むことを特徴とする請求項１３記載の設備故障判定方法。
【請求項１５】
前記ＰＤＨ設備故障判定ステップと前記ＳＤＨ設備故障判定ステップは、前記それぞれの判定ステップが終了するまで互いに待ち合わせを行うことを特徴とする請求項１４記載の設備故障判定方法。
【請求項１６】
前記記憶ステップは、
ＳＤＨ装置から出力される警報メッセージ情報に含まれる部位情報から、通信網１におけるパスに対応するパス状態警報情報を生成するための、装置部位とパスの対応関係情報を記憶するステップと、
前記通信網におけるパスの階層関係情報を記憶するステップ
を有することを特徴とする請求項１４記載の設備故障判定方法。
【請求項１７】
前記ＳＤＨ設備故障判定ステップは、
前記通信網からの前記警報メッセージ情報に対し、前記部位／パス対応関係記憶ステップで記憶された警報情報とパス対応関係情報を検索し、前記警報メッセージ情報を前記通信網内におけるパスに対応したパス状態警報情報に変換するステップと、
前記警報メッセージ変換ステップにて生成されたパス階層関係情報に基づいてパスの階層順にパスの停止判定を行い、パス階層における最上位のパスを主原因パスとする判定処理を行うステップ
を有することを特徴とする請求項１６記載の設備故障判定方法。
【請求項１８】
前記パス階層関係記憶ステップでは、前記通信網内の設備故障にて複数通知される警報について前記警報メッセージ変換ステップにて生成されたパス情報に対して、記憶されているパスの階層関係を探索し、パス階層上で最上位のパスを特定することを特徴とする請求項１７記載の設備故障判定方法。
【請求項１９】
前記記憶ステップは、設備故障時に発生する警報および他の故障警報により影響を受けて発生する警報の関係に従って、あらかじめ各警報に対して重み付けを行い、警報種類毎に警報レベルを記憶するステップを有することを特徴とする請求項１８記載の設備故障判定方法。
【請求項２０】
前記ＳＤＨ設備故障判定ステップは、さらに前記主原因パス停止判定ステップにより求めた主原因パスの両端装置で発生している警報のうち、前記警報レベル記憶ステップで記憶された警報レベルに従い、より上位レベルの警報が発生している設備を故障の主原因設備とする判定を行うステップを有することを特徴とする請求項１９記載の設備故障判定方法。
【請求項２１】
前記記憶ステップは、
ＰＤＨ装置とＳＤＨ装置の接続関係情報と前記警報の種類毎に、故障時に発生する警報および他の故障警報により影響を受けて発生する警報の関係に従って、ＰＤＨ装置故障が他方のＳＤＨ装置故障の原因となるか、ＳＤＨ装置故障が他方のＰＤＨ装置故障の原因となるか否かの判定に利用する定義情報を記憶するステップと、
他故障が自故障の原因となる可能性検査の必要があるか否かの判定結果を待ち合わせる必要があるか否かの条件設定情報を記憶するステップ
を有することを特徴とする請求項２０記載の設備故障判定方法。
【請求項２２】
前記記憶ステップは、
ＰＤＨ装置とＳＤＨ装置それぞれの故障情報の突合せを行った際にどちらの故障情報を真の主原因設備とするかの条件を記憶するステップを有することを特徴とする請求項２１記載の設備故障判定方法。
【請求項２３】
前記突合せ判定ステップは、
ＳＤＨ設備故障判定結果およびＰＤＨ設備故障判定結果に基づいて前記待ち合わせ条件記憶ステップにて記憶された待ち合わせ条件を検索し、待ち合わせが必要と判断された場合に、待ち合わせ相手の故障判定結果の通知を一定時間待ち合わせる処理を行うステップと、
前記待ち合わせ処理ステップにて待ち合わせを行ったＰＤＨ設備故障判定ステップによる故障判定結果およびＳＤＨ設備故障判定ステップによる故障判定結果に基づき、前記突合せ判定条件記憶ステップにて記憶された判定条件に従い、いずれが真の主原因故障情報であるか突合せ判定を行い、前記通信網内における真の主原因設備を決定するステップ
を有することを特徴とする請求項２２記載の設備故障判定方法。
【請求項２４】
さらに、判定結果としての主原因設備故障情報等を出力するステップを有することを特徴とする請求項１３記載の設備故障判定方法。
【請求項２５】
コンピュータに、プリシオナスディジタルハイアラーキ（ＰＤＨ）通信網とシンクロナスディジタルハイアラーキ（ＳＤＨ）通信網を含む通信網内における通信障害の発生時に発出される警報情報に基づいて、ＰＤＨ設備及びＳＤＨ設備の少なくとも一つの設備故障判定を行わせるプログラムであって、
前記ＳＤＨ設備に関する故障情報である警報メッセージ情報に基づいて故障設備を特定するステップと、
前記ＰＤＨ設備に関する警報である接点情報に基づいて故障設備を特定するステップと、
前記ＰＤＨ故障判定結果及び前記ＳＤＨ故障判定結果と前記ＰＤＨ設備及び前記ＳＤＨ設備間の接続関係情報に従って前記通信網内における真の故障設備を特定するための突き合わせ判定を行うステップ
を前記コンピュータに実行させることを特徴とするプログラム。
【請求項２６】
請求項２５に記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）。
【発明の詳細な説明】
【技術分野】
【０００１】
本発明は、通信網において通信障害が発生した場合に故障箇所を判定する故障判定技術に関し、特にＰＤＨ／ＳＤＨが混在している通信網で設備故障が発生した場合に故障箇所を判定するＳＤＨ／ＰＤＨ混在通信網における統合設備故障判定システム、方法、プログラム、及び記録媒体に関する。
【背景技術】
【０００２】
従来のＰＤＨ（プリシオナスディジタルハイアラ−キ）通信網で使用していたいわゆるＰＤＨ系装置は故障情報を接点で監視しており、故障情報をメッセージで出力するＳＤＨ（シンクロナスディジタルハイアラ−キ）装置とは故障情報の形態が異なる。この為、従来のＰＤＨ通信網における設備故障判定方式を利用している設備故障判定装置ではＳＤＨ装置についての故障判定が行えない、すなわち、従来のＰＤＨ装置のみで構成される通信網に対する設備故障判定システムでは、ＳＤＨ装置が発する警報メッセージを元に設備故障判定することができず、ＰＤＨ装置／ＳＤＨ装置の混在する通信網内において、正しい設備故障判定が行えなかった。この為、通信網にＳＤＨ装置を導入するにあたり、ＳＤＨ装置の設備故障判定機能が必要となった。
【０００３】
以下の特許文献１には、ＳＤＨ網での通信障害発生から障害箇所を特定するためのＳＤＨ装置に関する設備故障判定を行うＳＤＨ設備故障判定装置が開示されている。
【０００４】
【特許文献１】特開平６−２０９３１６号公報
【発明の開示】
【発明が解決しようとする課題】
【０００５】
しかしながら、ＰＤＨ／ＳＤＨが混在している通信網では、ある設備故障が発生した場合には、ＰＤＨ装置／ＳＤＨ装置いずれの装置からも警報が発生する可能性がある為、設備故障監視としては、ＰＤＨ装置／ＳＤＨ装置それぞれに対する故障判定を行うほかに、ＰＤＨ／ＳＤＨを含めて通信網内における真の故障設備を求める必要があった。
【０００６】
従って本発明の目的は、ＳＤＨ設備／ＰＤＨ設備の混在する通信網内においてＳＤＨ設備及びＰＤＨ設備の少なくとも一つに故障が発生した際に、ＳＤＨ設備／ＰＤＨ設備から発出される警報メッセージを元に、ＰＤＨ設備の設備故障判定結果とＳＤＨ設備の設備故障判定結果の突合せ判定を行い、通信網内における真の故障設備を特定する設備故障判定システム、方法、プログラム、及び記録媒体を提供することにある。
【課題を解決するための手段】
【０００７】
上記課題を解決するために、本発明は、以下の特徴を有する、課題を解決するための手段を採用している。
【０００８】
本発明に係る設備故障判定システムは、プリシオナスディジタルハイアラーキ（ＰＤＨ）通信網とシンクロナスディジタルハイアラーキ（ＳＤＨ）通信網を含む通信網内における通信障害の発生時に発出される警報に基づいて、ＰＤＨ設備及びＳＤＨ設備の少なくとも一つの設備故障判定を行う設備故障判定システムであって、前記ＳＤＨ設備に関する故障情報である警報メッセージに基づいて故障設備を特定する故障判定機能を有するＳＤＨ設備故障判定装置（２）と、前記ＰＤＨ設備に関する警報である接点情報に基づいて故障設備を特定する故障判定機能を有するＰＤＨ設備故障判定装置（３）と、前記ＰＤＨ故障判定結果及び前記ＳＤＨ故障判定結果と前記ＰＤＨ設備及び前記ＳＤＨ設備間の接続関係情報に従って前記通信網内における真の故障設備を特定するための突き合わせ判定を行う突合せ判定装置（４）を有することを特徴とする。
【０００９】
本発明に係る設備故障判定方法は、プリシオナスディジタルハイアラーキ（ＰＤＨ）通信網とシンクロナスディジタルハイアラーキ（ＳＤＨ）通信網を含む通信網内における通信障害の発生時に発出される警報に基づいて、ＰＤＨ設備及びＳＤＨ設備の少なくとも一つの設備故障判定を行う設備故障判定方法であって、前記ＳＤＨ設備に関する故障情報である警報メッセージに基づいて故障設備を特定するステップと、前記ＰＤＨ設備に関する警報である接点情報に基づいて故障設備を特定するステップと、前記ＰＤＨ故障判定結果及び前記ＳＤＨ故障判定結果と前記ＰＤＨ設備及び前記ＳＤＨ設備間の接続関係情報に従って前記通信網内における真の故障設備を特定するための突き合わせ判定を行うステップ有することを特徴とする。
【００１０】
本発明に係る設備故障判定プログラムは、コンピュータに、プリシオナスディジタルハイアラーキ（ＰＤＨ）通信網とシンクロナスディジタルハイアラーキ（ＳＤＨ）通信網を含む通信網内における通信障害の発生時に発出される警報に基づいて、ＰＤＨ設備及びＳＤＨ設備の少なくとも一つの設備故障判定を行わせるプログラムであって、前記ＳＤＨ設備に関する故障情報である警報メッセージに基づいて故障設備を特定するステップと、前記ＰＤＨ設備に関する警報である接点情報に基づいて故障設備を特定するステップと、前記ＰＤＨ故障判定結果及び前記ＳＤＨ故障判定結果と前記ＰＤＨ設備及び前記ＳＤＨ設備間の接続関係情報に従って前記通信網内における真の故障設備を特定するための突き合わせ判定を行うステップを前記コンピュータに実行させることを特徴とする。
【００１１】
本発明に係る情報記録媒体は、前記プログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）である。
【００１２】
例えば、図１において、ＰＤＨ設備故障判定装置３はＳＤＨ／ＰＤＨ混在通信網内１におけるＰＤＨ装置に関する設備故障判定を行う装置、ＳＤＨ設備故障判定装置２は通信網内におけるＳＤＨ装置に関する設備故障判定を行う装置、突合せ判定装置４はＰＤＨ装置の故障判定結果とＳＤＨ装置の故障判定結果の突合せ判定を行い、通信網内における真の主原因故障設備を特定する装置である。ＳＤＨ／ＰＤＨの混在する通信網内の設備に故障が発生した際には、通信網を構成する各種装置から発生する警報をＰＤＨ装置に関する故障情報である接点警報はＰＤＨ設備故障判定装置３を用いて故障判定し、ＳＤＨ装置が発出する警報メッセージは記憶装置６に保持する各種データを元にＳＤＨ設備故障判定装置２を用いて故障判定を行い、それぞれの判定で求められた主原因設備情報を記憶装置６に保持する情報を元に突合せ判定装置４を用いて突合せ判定し、通信網内における真の故障設備を特定し、出力装置５を用いて通信網の監視者に通知することができる。
【発明の効果】
【００１３】
本発明によれば、ＳＤＨ装置にて構成された通信網においてＳＤＨ装置故障および伝送路の異常等の発生時に、関連するさまざまなＳＤＨ装置が発出する警報メッセージを元にしてパスの停止判定および故障判定を行うことにより、通信網内の故障設備の特定および故障により影響を受けるパスの特定が可能となる。
【００１４】
本発明によれば、ＰＤＨおよびＳＤＨの混在する通信網において、ある設備の故障に対して影響を受けて出力される多種多様な警報である接点情報およびメッセージ情報を統合して故障判定を行うことにより、故障情報の異なるＰＤＨ／ＳＤＨ装置が混在する通信網内における真の主原因設備が特定可能となる。
【００１５】
本発明によれば、ＳＤＨ設備故障判定に関しては、既存の通信網に対して出力警報が異なる新たなタイプのＳＤＨ装置が追加されるような場合でも、警報のパスへの関連付けおよびパスの階層関係を定義するテーブルを変更することで判定処理ロジックを見直すことなく容易に対応できる。またＰＤＨ／ＳＤＨの混在する通信網においても、設備間の接続関係および主原因特定のテーブルを変更することで、突合せ判定処理も可能となる。
【００１６】
本発明によれば、ＰＤＨ装置とＳＤＨ装置の故障判定を別々に行うことで、ＰＤＨ通信網の故障判定を行う装置として既にＰＤＨ故障判定装置が存在しているシステムにおいて、ＳＤＨ装置が通信網に追加される場合でも、故障判定システムを全て作り直す必要は無く、既存のＰＤＨ設備故障判定システムに対してＳＤＨ設備故障判定機能を追加するという形でＳＤＨ混在の通信網の故障監視機能を付加することが可能となる。
【発明を実施するための最良の形態】
【００１７】
図面を参照して本発明の実施の形態について説明する。図１を参照すると、本実施の形態はＰＤＨ装置／ＳＤＨ装置が混在する通信網であるＳＤＨ／ＰＤＨ混在通信網１を対象とし、その通信網を構成する各装置から出力される各種警報を収集し、収集した警報を元に通信網内での故障設備の判定を行うものであり、ＰＤＨ装置についての判定を行うＰＤＨ設備故障判定装置３、ＳＤＨ装置についての判定を行うＳＤＨ設備故障判定装置２、ＰＤＨ故障判定結果とＳＤＨ故障判定結果を突き合わせて通信網内における真の故障設備を特定する突合せ判定装置４、および判定結果としての主原因設備故障情報等を出力するＣＲＴ等の出力装置５、ＳＤＨ設備故障判定および突合せ判定に利用する各種定義情報を保持する記憶装置６とを含む。
【００１８】
ＳＤＨ／ＰＤＨ混在通信網１において設備故障が発生した際に、各種装置から通知される警報に対してＰＤＨ装置に関する警報である接点情報はＰＤＨ設備故障判定装置３、ＳＤＨ装置が発出する故障情報である警報メッセージはＳＤＨ設備故障判定装置２で、それぞれ故障判定処理を行う。
【００１９】
ＰＤＨ設備故障判定装置３での故障判定方式は従来から知られている方式（いわゆる傘の論理を用いた故障判定方式）を用いて、通信網内におけるＰＤＨ装置に関する警報である接点情報を元にＰＤＨ装置の故障設備を特定する故障判定機能を有する。
【００２０】
ＳＤＨ設備故障判定装置２での故障判定方式はＰＤＨ通信網における故障判定方式と同様に傘の論理を利用し、ＳＤＨ装置が発出する故障情報である警報メッセージから通信網での設備故障判定を行えるようにした故障判定機能を有する。
【００２１】
突合せ判定装置４では、ＰＤＨ故障判定結果とＳＤＨ故障判定結果として求められたそれぞれの故障主原因設備情報を元に、装置間の接続関係（ネットワーク構成状態）に従って突合せ判定処理を行い、ＳＤＨ／ＰＤＨのどちらかを通信網内における真の故障設備と決定する機能を有する。なお、ＰＤＨ系の接点警報及びＳＤＨのメッセージ警報はそれぞれ警報収集経路が異なることや、故障警報の数が異なることから、ＰＤＨ設備故障判定装置による故障判定処理と、ＳＤＨ設備故障判定装置による故障判定処理は、どちらが先に終了するかは確定できない。よってＰＤＨ設備故障判定装置による判定結果であるＰＤＨ故障主原因情報とＳＤＨ設備故障判定装置２によるＳＤＨ故障主原因情報から真の故障情報を求める為には、どちらの判定処理が先に終了しても良いように、それぞれお互いの判定処理が終了するまで待ち合わせを行う。
【００２２】
次にＳＤＨ設備故障判定装置２および突合せ判定装置４に関係する構成の詳細を説明する。部位／パス対応関係記憶部６１は、ＳＤＨ装置から出力される警報メッセージに含まれる部位情報から、通信網１におけるパスに対応するパス状態警報を生成する為の、装置部位とパスの対応関係を記憶する装置である。ＳＤＨ装置が出力するメッセージ警報の内容として含まれる故障部位情報に対して、あらかじめその部位に対応するパスを対応付けしておくことで、各メッセージ警報に対してパスが１対１に対応付けされた情報を記憶している（パスとは、通信網における多重化階層の対向関係に対応する伝送路の概念である）。パスと各ＳＤＨ装置の部位情報は、利用者がネットワーク構成情報としてパス及びそのパスを構成する装置情報を入力することで、あらかじめ装置の各部位とその部位から発生する警報との対応定義情報を元に対応付けを行い、部位／パス対応関係記憶部６１に記憶しておくものである。
【００２３】
警報メッセージ変換処理部２１は、ＳＤＨ／ＰＤＨ混在通信網１から受信するＳＤＨ装置から発出された警報メッセージに対し、部位／パス対応関係記憶部６１に記憶されている警報とパスの対応関係を探索し、警報メッセージ情報を通信網１内におけるパスに対応したパス状態警報に変換する。
【００２４】
パス階層関係記憶部６２は、通信網１におけるパスの階層関係を記憶する装置であり、通信網１内の設備故障にて複数通知される警報について警報メッセージ変換処理部２１にて生成されたパス情報に対して、パス階層関係記憶部６２に記憶されているパスの階層関係を探索して、パス階層上で最上位のパスを特定する為に使用される。パスの階層関係についても利用者がネットワーク構成情報としてＳＤＨ設備故障判定装置２に対して与えるものである。
【００２５】
主原因パス停止判定処理部２２は、警報メッセージ変換処理部２１にて生成された、警報とパスが１対１に対応付けされたパス状態警報を、パスの階層関係を記憶するパス階層関係記憶部６２を元にパスの階層順にパスの停止判定を行い、パス階層における最上位のパスを主原因パスとする判定処理を行う。主原因パスと判定されたパス配下のパスに関係する警報については主原因パス故障の影響により発生した警報とみなし、故障とみなさない。
【００２６】
警報レベル記憶部６３は、設備故障時に発生する警報メッセージの連鎖（故障時に発生する警報および他の故障警報により影響を受けて発生する警報の関係）に従って、システムとしてあらかじめ各警報に対してレベル付与（重み付け）を行い、警報種類毎に警報レベルを記憶しておくものである。
【００２７】
主原因設備故障判定処理部２３は、主原因パス停止判定処理部２２により求めた主原因パスの両端装置で発生している警報のうち警報レベル記憶部６３に記憶されている警報のレベルに従い、より上位レベルの警報が発生している設備を故障の主原因設備とする判定を行う。
【００２８】
待ち合わせ条件記憶部６４は、ＰＤＨ装置とＳＤＨ装置の接続関係と警報の種類毎に、故障発生時の警報の連鎖関係に従い、ＰＤＨ故障がＳＤＨ故障の影響の可能性があるか、またはＳＤＨ故障がＰＤＨ故障の影響の可能性があるかどうかをあらかじめ定義し、他故障による影響の可能性検査の必要有無、つまり相手（ＰＤＨ判定結果の場合はＳＤＨ故障判定結果、またはその逆）の判定結果を待ち合わせる必要の有無条件を記憶する。言い換えると、待ち合わせ条件記憶部６４は、ＰＤＨ装置とＳＤＨ装置の接続関係情報と前記警報の種類毎に、故障時に発生する警報および他の故障警報により影響を受けて発生する警報の関係に従って、ＰＤＨ装置故障が他方のＳＤＨ装置故障の原因となるか、ＳＤＨ装置故障が他方のＰＤＨ装置故障の原因となるか否かの判定に利用する定義情報を記憶し、他故障が自故障の原因となる可能性検査の必要があるか否かの判定結果を待ち合わせる必要があるか否かの条件設定情報を記憶しているのである。
【００２９】
待ち合わせ処理部４１は、ＳＤＨ設備故障判定装置２およびＰＤＨ設備故障判定装置３から判定結果を受け付け、それぞれの判定結果情報を元に待ち合わせ条件記憶部６４の記憶されている条件を検索し、待ち合わせが必要と判断された場合には、待ち合わせ相手の故障判定結果が待ち合わせ処理部４１に渡されるのを一定時間待ち合わせる処理を行う。
【００３０】
突合せ判定条件記憶部６５は、ＰＤＨ装置とＳＤＨ装置それぞれの故障情報の突合せを行った際にどちらの故障情報を真の主原因設備とするかの条件を記憶し、待合わせ条件記憶部と同様に装置間の接続関係と警報の種類毎に規定される。
【００３１】
突合せ判定処理部４２は、待ち合わせ処理部４１にて待ち合わせ行ったＰＤＨ設備故障判定装置３によるＰＤＨ装置の故障判定結果およびＳＤＨ設備故障判定装置２によるＳＤＨ装置の故障判定結果から、突合せ判定条件記憶部６５に記憶されている条件に従い、どちらが真の主原因故障情報であるかの判定を行い（突合せ判定）、ＳＤＨ／ＰＤＨ混在通信網１内における真の主原因設備を決定する。
【００３２】
出力装置５は、突合せ判定装置４により求められたＳＤＨ／ＰＤＨ混在通信網１内における真の故障主原因設備情報をＣＲＴ装置等に出力する。
【００３３】
以下、図１〜図４を参照して本実施の形態に係る判定システムの動作について詳細に説明する。
【００３４】
図１において、通信網１内で設備故障が発生した際に、ＰＤＨ設備故障判定装置３は、ＳＤＨ／ＰＤＨ混在通信網１からＰＤＨ設備の故障情報である接点情報を、ＰＤＨ装置監視用ネットワーク８を介して受け付ける。ＰＤＨ設備故障判定装置３は供給された接点情報を収集し、故障判定処理を行い、通信網を構成する装置のうち、ＰＤＨ装置に関する故障設備主原因判定を行い、通信網内でのＰＤＨ故障主原因設備を求めて突合せ判定装置４に通知する。
【００３５】
ＳＤＨ設備故障判定装置２は、ＳＤＨ／ＰＤＨ混在通信網１からのＳＤＨ設備の故障情報である警報メッセージ情報をＳＤＨ装置監視用ネットワーク７を介して受け付ける。ＳＤＨ設備故障判定装置２は供給された警報メッセージを収集し、まず各警報中の装置部位情報を元に、警報メッセージ変換処理部２１にて部位／パス対応関係記憶装置６１に記憶されている警報とパスの対応表を検索し、各警報メッセージをパスの故障情報とするパス状態情報に変換する。変換された各警報メッセージはそれぞれパスに対応付けされ、パスをキーとする警報情報となる。これにより各警報をパスの状態情報として扱うことができ、パスの故障状態を判定可能となる。
【００３６】
故障発生時に通信網内のＳＤＨ装置から出力される複数の警報は、警報メッセージ変換処理部２１にて生成されたパス故障警報として主原因パス停止判定処理部２２に与えられる。主原因パス判定処理部２２はそれら複数のパス状態警報をパス階層関係記憶部６２から検索し、パスの階層順にソートし最上位のパスから順にパス故障判定を行う。パス状態警報内の警報状態が発生の場合パス停止と判定し、停止と判定された最上位のパスを故障の主原因パスとし、主原因パス配下のパスに関するパス状態警報は、主原因パスの故障による影響とみなし、故障とみなさない。主原因パスと判定されたパスをもつパス状態警報は後続の主原因設備故障判定処理部２３に渡される。
【００３７】
主原因設備故障判定処理部２３では、主原因パス停止判定２２により求めた主原因パスに関するパス状態情報を受け付け、それぞれの警報を警報レベル記憶部６３から検索して警報レベルを取得する。主原因パスに関するパス状態情報が複数存在する場合、それぞれ取得した警報レベルのうち、一番上位レベルの警報を発出している設備を故障の主原因設備と特定し、主原因設備情報および警報情報を突合せ判定装置４に通知する。
【００３８】
ＰＤＨ設備故障判定装置３およびＳＤＨ設備故障判定装置２により求められた故障主原因設備情報はそれぞれ待ち合わせ処理部４１に渡される。待ち合わせ処理部４１では、ＳＤＨ／ＰＤＨそれぞれの故障主原因設備情報を元に待ち合わせ条件記憶部６４、およびパス階層関係記憶部６２を検索し、ＰＤＨ設備の場合はＳＤＨ設備の故障情報を、ＳＤＨ設備の場合はＰＤＨ設備の故障情報を、それぞれ突合せ判定を行う為に待ち合わせるかどうか判断する。
【００３９】
待ち合わせが必要無しと判断された場合には、故障主原因設備情報をそのまま突合せ判定処理部に渡し、突合せ判定処理部では突合せ相手なしとして突合せ判定を行わずにそのまま故障情報として出力装置５へ出力する。
【００４０】
待ち合わせの必要有りと判断された場合は、他の故障（ＳＤＨの場合はＰＤＨ、ＰＤＨの場合はＳＤＨ）の影響を判定する必要があるため、待ち合わせ相手の故障判定結果が待ち合わせ処理部に通知されるのを一定時間待ち合わせる。待ち合わせ中に待ち合わせ相手の故障情報が待ち合わせ処理部に通知されると、初めて突合せ判定処理部に故障情報を通知する。
【００４１】
突合せ判定処理部４２では、ＰＤＨ主原因情報とその相手のＳＤＨ主原因情報のうち、どちらの情報を故障主原因情報とするかを、おのおのの故障主原因情報およびパス階層関係記憶部６２から求めた装置間の接続関係に基づき、突合せ判定条件記憶部６５に記憶されている条件から求める。突合せ判定条件記憶部６５から検索した結果により故障の真の主原因設備を求め、出力装置５を介して利用者に通知する。
【００４２】
図２に示す通信網の例において、ＳＤＨ装置である「Ａ１装置」が故障となった場合に、各装置から出力される警報が図２に示す通り[ａ]から[ｉ]である場合の故障判定の流れを説明する。なお、接点情報である警報[ｉ]はＰＤＨ装置の警報収集ネットワークを介してＰＤＨ故障判定装置に通知され、メッセージ情報である警報[ａ]から[ｈ]はＳＤＨ装置の警報収集ネットワークを介してＳＤＨ故障判定装置に通知される。
【００４３】
ＰＤＨ設備故障判定装置３では、通知された接点情報[ｉ]から、ＰＤＨ設備故障判定処理を行い、判定結果としてＰＤＨ装置内での主原因設備「Ａ３装置」、および停止するＰＤＨパスである「パスｃ１」を求める（ＰＤＨ設備故障判定結果）。
【００４４】
次に、ＳＤＨ設備故障判定の流れについて説明する。ＳＤＨ故障判定装置２では、通知された警報メッセージ[ａ]から[ｈ]を元に、ＳＤＨ設備故障判定を行う。図３を参照すると、まず[ａ]から[ｈ]それぞれの警報の部位情報を元に警報メッセージ変換処理部２１にて部位／パス対応関係記憶部６１を参照し、対応するパスを取得する。そして警報メッセージを取得したパスに対応する警報に変換し、[ａ][ｂ]の警報はそれぞれ「パスａ１」の故障発生警報、[ｃ][ｆ]の警報はそれぞれ「パスｂ１」の故障発生警報、同様に[ｄ][ｇ]は「パスｂ２」、[ｅ][ｈ]は「パスｂ３」の警報とする（図３のステップ１）。
【００４５】
主原因パス停止判定処理部２２では、「パスａ１」および「パスｂ１」「パスｂ２」「パスｂ３」に対して、パス階層関係記憶部６１を検索することにより「パスａ１」が「パスｂ１」「パスｂ２」「パスｂ３」を含めて最上位パスであることが分かる。よって「パスａ１」を受信警報中における最上位のパスであると判断して故障の主原因パスとする。また警報の状態が発生であることから、「パスａ１」配下のパスを「パスａ１」の故障によって影響を受けたパスとして故障とみなさないとする判定により、主原因パスの停止判定結果として、「パスａ１の故障発生」が求められる（図３のステップ２）。
【００４６】
故障の主原因パスである「パスａ１」に関する警報を発出している設備である「Ａ１装置」および「Ｂ１装置」に関し、それぞれの設備が発出している警報メッセージ[ａ]および[ｂ]の警報レベルを警報レベル記憶部６３より検索し、「Ａ１装置」が発出している警報[ａ]がより高いレベルの警報であることが判断できる為、ＳＤＨ装置内での故障主原因設備として「Ａ１装置」を特定する。これにより、ＳＤＨ装置内での故障主原因設備として「Ａ１装置の故障発生」が求められる（図３のステップ３）。
【００４７】
主原因パス停止判定および主原因設備判定により、ＳＤＨ設備の故障主原因情報が判定結果として求められる（図３のステップ４）。
【００４８】
次に、突合せ判定の流れについて説明する。突合せ判定装置では、通信網におけるＰＤＨ装置内での故障主原因設備である特定された「Ａ３装置」の故障情報と、ＳＤＨ装置内での故障主原因設備であると特定された[Ａ１装置]の故障情報をそれぞれ受け付ける。
【００４９】
本具体例の場合、ＰＤＨ設備故障判定装置からの故障主原因設備情報がＳＤＨ設備故障判定装置からの故障主原因情報よりも先に突合せ判定装置に通知されたとする。
【００５０】
図４を参照すると、ＰＤＨ故障情報の主原因パスである「パスｃ１」を元にパス階層関係記憶部６２を検索すると、上位にＳＤＨパスが存在することが求められ、すなわち上位にＳＤＨ装置が接続されていると判断される。ＰＤＨ故障主原因設備に関する情報および装置の接続関係「ＰＤＨ装置の多重変換装置で上位にＳＤＨ装置が存在する」を条件として、待ち合わせ条件記憶部を検索すると、待合わせの必要あり（ＰＤＨ多重変換装置は上位のＳＤＨ装置により影響を受ける可能性がある）となり、ＳＤＨ設備故障情報を待ち合わせる（図４のステップ１）。
【００５１】
その後ＳＤＨ設備故障判定装置からＳＤＨ設備の故障情報が、待ち合わせ処理部に通知されると、待ち合わせ処理部は主原因設備である「Ａ１装置」（ＳＤＨ装置の光伝送装置）を元に、その情報で待合わせ条件記憶部６４を検索すると、接続関係に無関係に待合わせは不要であることが判断される（図４のステップ２）。
【００５２】
待ち合わせ不要と判断されて突合せ判定処理部４２に渡されるＳＤＨ故障情報は、突合せ判定条件記憶部６５を参照すると、ＰＤＨ故障情報に関わらず主原因として特定できる。また、自故障情報を待ち合わせている故障情報が存在するかどうかを、主原因パスである「パスａ１」でパス階層記憶部６１を参照し、パスを下位に辿っていき、下位に存在するパスを主原因パスとする故障情報が待ち合わせを行っているかどうかをチェックする。すると「パスｃ１」を主原因パスとするＰＤＨ故障情報が、ＳＤＨ故障情報の待合わせを行っていることが判断できる。突合せ判定条件を参照すると、上位のＳＤＨ故障が存在する場合はＳＤＨ故障を主原因とする判定結果となる（ＰＤＨ故障情報はＳＤＨ故障情報の影響で発生した故障であると判断される）為、出力装置への通知は行わない（図４のステップ３）。
【００５３】
上記の突合せ判定により求められた通信網における真の主原因故障設備であるＳＤＨ装置の故障情報は[Ａ１装置の高速セクションのＲＥＣが発生]として出力装置を介して利用者に通知される。
【００５４】
本発明では、上記した設備故障判定方法をコンピュータに実行させるためのコンピュータプログラム（設備故障判定プログラム）を記録した記録媒体を備えることも可能である。この記録媒体は可搬形あるいは固定型のいずれであってもよく、磁気ディスク、半導体メモリ、ＣＤ−ＲＯＭその他の記録媒体であってもよい。また、本データ解析方法を実行させるためのコンピュータプログラムを、ネットワークに接続されたコンピュータの記録装置に格納しておき、ネットワークを介して他のコンピュータに転送することもできる。コンピュータプログラムを提供する提供媒体としては、様々な形式のコンピュータに読み出し可能な媒体として頒布可能であって、特定のタイプの媒体に限定されるものではない。
【００５５】
前記設備故障判定プログラムは前記記録媒体から各判定装置に読み込まれ、各判定装置の動作を制御し、入力された各情報データに対して上記した実施の形態における各判定装置による処理と同一の処理を実行する。
【００５６】
また、上記した各実施の形態は、本発明を好適に実施した形態の一例に過ぎず、本発明は、その主旨を逸脱しない限り、種々変形して実施することが可能なものである。
【図面の簡単な説明】
【００５７】
【図１】本発明に係る判定システムの構成を示した図である。
【図２】本発明に係る判定システムの故障判定の流れについて説明するための図である。
【図３】ＳＤＨ設備故障判定の流れについて説明するための図である。
【図４】突合せ判定の流れについて説明するための図である。
【符号の説明】
【００５８】
１    ＳＤＨ／ＰＤＨ混在通信網
２    ＳＤＨ設備故障判定装置
３    ＰＤＨ設備故障判定装置
４    突合せ判定装置
５    出力装置
６    記憶装置
７    ＳＤＨ装置監視用ネットワーク
８    ＰＤＨ装置監視用ネットワーク
２１  警報メッセージ変換処理部
２２  主原因パス停止判定処理部
２３  主原因設備故障判定処理部
４１  待ち合わせ処理部
４２  突合せ判定処理部
６１  部位／パス対応関係記憶部
６２  パス階層関係記憶部
６３  警報レベル記憶部
６４  待ち合わせ条件記憶部
６５  突合せ判定条件記憶部
【図１】
2006270848.tif 000003
【図２】
2006270848.tif 000004
【図３】
2006270848.tif 000005
【図４】
2006270848.tif 000006